(57)【特許請求の範囲】
【請求項１】
人体の上半身形状を模した人形胴と、この人形胴に被せたシャツ等の両袖の先端を把持する一対の把持具と、前記人形胴の背面側に配設され該人形胴に圧着する背面コテと、前記人形胴の正面側に配設され該人形胴に圧着する正面コテとを少なくと備えたシャツ等のプレス装置において、
前記正面コテは、縦に２分割された一対の左正面コテと右正面コテとからなり、この左右正面コテは前記把持具の外側から左正面コテの内側端面と右正面コテの内側端面が合うように前記人形胴の正面側に移動可能に設けられ、この左右正面コテを水平方向に駆動する水平駆動手段と、前記左右正面コテをそれぞれ前記人形胴に圧着するように駆動する圧着駆動手段とを備え、前記左正面コテの内側端面は、上端部が前記人形胴の中心線より外側で、下端部が上端部より真直ぐ下方から人形胴のほぼ中心線までの範囲に直線状に形成され、前記右正面コテの内側端面は、前記左正面コテの内側端面に合うように傾斜して形成されていることを特徴とするシャツ等のプレス装置。
【発明の詳細な説明】
【技術分野】
【０００１】
本発明は、洗濯されたワイシャツ等の上着をプレス仕上げするシャツ等のプレス装置に関する。
【背景技術】
【０００２】
シャツ等のプレス装置は、人体の上半身形状を模した人形胴と、この人形胴の前後面を圧着する一対の正面コテ及び背面コテと、人形胴に着せられた上着の両袖の先端を把持する把持具と、その袖のタック部を圧着するタックコテとを備えている。この種のシャツ等のプレス装置として、例えば特許文献１及び２が挙げられる。
【特許文献１】実公平２−４６８８０号公報
【特許文献２】特公平３−４４５６０号公報
【０００３】
かかるシャツ等のプレス装置において、人形胴と正背面コテとを相対的に横方向に移動させる構成とすることにより、人形胴に上着を着せたり脱がせたりする着脱作業と、両袖の装着作業を安全かつ迅速にできるようにしている。特許文献１及び２においては、上着の装着作業は次のように行われる。正背面コテが左袖のカフス部を把持する左側の把持具にある状態で、人形胴に上着を被せる。その後、右袖のカフス部を右側の把持具で固定する。次に人形胴を正背面コテ間のプレス位置に移動させる。続いて上着の左袖のカフス部を左側の把持具で固定する。
【発明の開示】
【発明が解決しようとする課題】
【０００４】
前記したように、上着の装着作業は、人形胴に上着を被せた後に一方のカフス部を一方の把持具に固定し、次に人形胴が正背面コテ間に位置するように両者を相対的に移動させ、その後に作業者が他方の把持具側に移動して他方のカフス部を他方の把持具に固定する。このように多くの作業工程を必要とし、また作業者の移動範囲も大きいので、生産性が悪いという問題があった。
【０００５】
本発明の課題は、上着の装着作業の更なる迅速化が図れ、生産性の向上が図れるシャツ等のプレス装置を提供することにある。
【課題を解決するための手段】
【０００６】
上記課題を解決するための本発明の請求項１は、人体の上半身形状を模した人形胴と、この人形胴に被せたシャツ等の両袖の先端を把持する一対の把持具と、前記人形胴の背面側に配設され該人形胴に圧着する背面コテと、前記人形胴の正面側に配設され該人形胴に圧着する正面コテとを少なくと備えたシャツ等のプレス装置において、
前記正面コテは、縦に２分割された一対の左正面コテと右正面コテとからなり、この左右正面コテは前記把持具の外側から左正面コテの内側端面と右正面コテの内側端面が合うように前記人形胴の正面側に移動可能に設けられ、この左右正面コテを水平方向に駆動する水平駆動手段と、前記左右正面コテをそれぞれ前記人形胴に圧着するように駆動する圧着駆動手段とを備え、前記左正面コテの内側端面は、上端部が前記人形胴の中心線より外側で、下端部が上端部より真直ぐ下方から人形胴のほぼ中心線までの範囲に直線状に形成され、前記右正面コテの内側端面は、前記左正面コテの内側端面に合うように傾斜して形成されていることを特徴とする。
【発明の効果】
【０００８】
正面コテは縦に２分割された一対の左正面コテと右正面コテとからなり、この左右正面コテは一対の把持具の外側から人形胴の正面側に移動するように構成されている。そこで、シャツを人形胴及び一対の把持具にセットする時は、左右正面コテが把持具の外側に位置した状態で行えるので、作業者は人形胴に近づいた状態でシャツを人形胴に被せることができる。またシャツの両袖の端部をそれぞれ把持具で支持させることができる。その後、左右正面コテの合わせ部が人形胴の正面側に移動した後にシャツの背面部及び胴部と胸部をアイロン仕上げすることができるので、作業工程が少なく、また作業者の移動範囲も少なくてすむので、生産性の向上が図れる。
【発明を実施するための最良の形態】
【０００９】
本発明のシャツ等のプレス装置の一実施の形態を図１乃至図４により説明する。本発明は、正面コテの構造に特徴があり、その他は従来公知の構造である。そこで、従来公知の構造は簡略して図示し、また簡単に説明する。
【００１０】
まず、従来公知の構造について説明する。基台１上には、人体の上半身形状を模した人形胴２が直立して取付けられている。人形胴２の左右には、シャツＳの両袖のカフス部を把持する一対の把持具３Ｌ，３Ｒと、袖のタック部をプレスするタックコテ４Ｌ，４Ｒ及びアイロン台５Ｌ，５Ｒが配設されている。把持具３Ｌ，３Ｒ及びタックコテ４Ｌ，４Ｒは、それぞれエアシリンダ６，７で作動させられる。把持具３Ｌ，３Ｒ、タックコテ４Ｌ，４Ｒ及びアイロン台５Ｌ，５Ｒは、シャツＳの両袖を引き延ばすように、図１の状態から図３のように斜め外側下方に図示しない駆動手段で移動させられるようになっている。
【００１１】
人形胴２の上部には、シャツＳの首部を固定する首部押さえ具１０が設けられている。首部押さえ具１０は、首部の前側を固定する押さえ板１１と、この押さえ板１１を駆動するエアシリンダ１２とからなっている。人形胴２の背面側には、背面コテ２０が配設されており、背面コテ２０はコテ支持板２１に固定されている。コテ支持板２１はエアシリンダ２２の作動ロッドに固定されており、エアシリンダ２２は基台１に固定されたコテ支持枠２３に固定されている。
【００１２】
次に本実施の形態の特徴とする構造について説明する。正面コテはほぼ中央部より縦に２分割された一対の左正面コテ３０Ｌと右正面コテ３０Ｒとからなっている。ここで、左正面コテ３０Ｌの内側端面３１Ｌは、上端部が人形胴２の中心線４０より約２ｃｍ程度外側で、下端部が人形胴２のほぼ中心になるように傾斜して形成されている。右正面コテ３０Ｒの内側端面３１Ｒは前記内側端面３１Ｌに合うように傾斜して形成されている。左右正面コテ３０Ｌ，３０Ｒは、それぞれコテ支持板３２Ｌ，３２Ｒに固定されており、コテ支持板３２Ｌ，３２Ｒはそれぞれエアシリンダ３３Ｌ，３３Ｒで駆動させられる。エアシリンダ３３Ｌ，３３Ｒは基台１の正面側に上方に伸びて配設されたコテ支持枠３４Ｌ，３４Ｒに固定されている。
【００１３】
コテ支持枠３４Ｌ，３４Ｒの下端部にはそれぞれスライダ３５Ｌ，３５Ｒが固定されており、スライダ３５Ｌ，３５Ｒは水平に配設されて基台１に固定されたガイドレール３６に摺動自在に嵌挿されている。基台１には、左右正面コテ３０Ｌ，３０Ｒを図１の状態より図３の状態に駆動する左右エアシリンダ３７Ｌ，３７Ｒが左右対称に配設されて取付けられている。即ち、左エアシリンダ３７Ｌの作動ロッドがコテ支持枠３４Ｌに固定され、右エアシリンダ３７Ｒの作動ロッドがコテ支持枠３４Ｒに固定されている。
【００１４】
次に作用について説明する。始動前は、図２に示すように背面コテ２０人形胴２の後方に、左右正面コテ３０Ｌ，３０Ｒが人形胴２の前方にそれぞれ離れ、かつ図１に示すように左右正面コテ３０Ｌ，３０Ｒが把持具３Ｌ，３Ｒの外側に位置した状態にある。また把持具３Ｌ，３Ｒ、タックコテ４Ｌ，４Ｒ及びアイロン台５Ｌ，５Ｒは人形胴２に接近した位置にある。この状態で、人形胴２にシャツＳを被せた後、エアシリンダ１２を作動させて首部の前側を押さえ板１１で固定する。またシャツＳの前見頃の下部を図示しない前押さえ具で固定する。続いて人形胴２に真空吸引が作用し、シャツＳは人形胴２に真空吸着される。次にシャツＳの両袖のカフス部をアイロン台５Ｌ，５Ｒに通した後、カフス部をそれぞれ把持具３Ｌ，３Ｒで支持（把持）する。これにより、カフス部は袖を弛ませた状態で取付けられる。
【００１５】
このようにシャツＳを人形胴２にセットした後、左右エアシリンダ３７Ｌ，３７Ｒを作動させる。これにより左右エアシリンダ３７Ｌ，３７Ｒの作動ロッドが引っ込み、図３に示すように、コテ支持枠３４Ｌ，３４Ｒを介して左右正面コテ３０Ｌ，３０Ｒがプレス位置である人形胴２の正面に移動して該左右正面コテ３０Ｌ，３０Ｒの内側端面が当接する。続いてエアシリンダ２２及び左右エアシリンダ３７Ｌ，３７Ｒが作動して背面コテ２０及び左右正面コテ３０Ｌ，３０Ｒを人形胴２の背面及び正面に圧着してシャツＳの背面部及び胴部と胸部をアイロン仕上げする。
【００１６】
背面コテ２０及び左右正面コテ３０Ｌ，３０Ｒが人形胴２の背面及び正面に圧着中に、図３に示すように、把持具３Ｌ，３Ｒ、タックコテ４Ｌ，４Ｒ及びアイロン台５Ｌ，５Ｒが斜め外側下方に移動し、シャツＳの両袖を引き延ばし、その状態でタック部をアイロン台５Ｌ，５Ｒとタックコテ４Ｌ，４Ｒとの間で挟んでアイロン仕上げする。前記した背面コテ２０、左右正面コテ３０Ｌ，３０Ｒ及びタックコテ４Ｌ，４Ｒによるアイロン仕上げ中、人形胴２には熱風が吹き込まれ、シャツＳの脇下及び袖口の表面のしわを延ばすと共に乾燥させる。アイロン仕上げ後、前記と逆の動作により、図３及び図４の状態より元の図１及び図２の状態となる。
【００１７】
このように、正面コテは縦に２分割された一対の左正面コテ３０Ｌと右正面コテ３０Ｒとからなり、この左右正面コテ３０Ｌ，３０Ｒは把持具３Ｌ，３Ｒの外側から人形胴２の正面側に移動するように構成されている。そこで、シャツＳを人形胴２及び把持具３Ｌ，３Ｒにセットする時は、左右正面コテ３０Ｌ，３０Ｒが把持具３Ｌ，３Ｒの外側に位置した状態で行えるので、作業者は人形胴２に近づいた状態でシャツＳを人形胴２に被せることができる。またシャツＳの両袖のカフス部をそれぞれ把持具３Ｌ，３Ｒで支持させることができる。その後、左右正面コテ３０Ｌ，３０Ｒの合わせ部が人形胴２の正面側に移動した後にシャツＳの背面部及び胴部と胸部をアイロン仕上げすることができる。即ち、作業工程が少なく、また作業者の移動範囲も少なくてすむので、生産性の向上が図れる。
【００１８】
ところで、本実施の形態においては、正面コテは２分割された一対の左右正面コテ３０Ｌ，３０Ｒからなるので、左右正面コテ３０Ｌ，３０Ｒの合わせ部の縦線部分に対応したシャツＳの部分がプレスされないおそれがある。このプレスされないおそれのあるシャツＳの縦線部分がシャツＳの前見頃のボタンホール側であると、シャツＳを着用した場合に目立つことになり、プレス品質が落ちることになる。
【００１９】
本実施の形態においては、左正面コテ３０Ｌの内側端面３１Ｌは、上端部が人形胴２の中心線４０より外側で、下端部が人形胴２のほぼ中心になるように傾斜して形成されている。右正面コテ３０Ｒの内側端面３１Ｒは前記内側端面３１Ｌに合うように傾斜して形成されている。このため、プレス時（図３及び図４）における左右正面コテ３０Ｌ，３０Ｒの内側端面３１Ｌと３１Ｒの合わせ部はシャツＳの前見頃のボタン側となる。そこで、仮に左右正面コテ３０Ｌ，３０Ｒの合わせ部にプレスされない縦線部分ができても、この部分はボタン側となり、ボタン側はシャツＳを着用した場合にボタンホールの下側となるので、プレス品質に影響を及ぼさない。
【００２０】
なお、上記実施の形態においては、左正面コテ３０Ｌの内側端面３１Ｌは、上端部が人形胴２の中心線４０より外側で、下端部が人形胴２のほぼ中心になるように傾斜して形成したが、下端部は上端部より真直ぐ下方から人形胴２のほぼ中心線４０までの範囲に直線状に形成してもよい。
【図面の簡単な説明】
【００２１】
【図１】本発明のシャツ等のプレス装置の一実施の形態を示し、右正面コテ及び背面コテが作動する前の状態の正面図である。
【図２】図１の側面図である。
【図３】左右正面コテ及び背面コテが作動してアイロン仕上げする状態の正面図である。
【図４】図３の側面面である。
【符号の説明】
【００２２】
Ｓ    シャツ
１    基台
２    人形胴
３Ｌ，３Ｒ    把持具
４Ｌ，４Ｒ    タックコテ
５Ｌ，５Ｒ    アイロン台
１０    首部押さえ具
２０    背面コテ
２２    エアシリンダ
３０Ｌ，３０Ｒ    左右正面コテ
３１Ｌ，３１Ｒ    内側端面
３２Ｌ，３２Ｒ    コテ支持板
３３Ｌ，３３Ｒ    エアシリンダ
３４Ｌ，３４Ｒ    コテ支持枠
３５Ｌ，３５Ｒ    スライダ
３６    ガイドレール
３７Ｌ，３７Ｒ    左右エアシリンダ
４０    中心線
【図１】
0004472614.tif 000002
【図２】
0004472614.tif 000003
【図３】
0004472614.tif 000004
【図４】
0004472614.tif 000005